(57)【要約】    【課題】必要に応じて特定の移報先に対し選択的に火災感知器の試験動作に伴う移報信号を送出して作動可能とする。    【解決手段】外部試験器１２に、火災感知器４の試験動作により正常と判断した場合に試験発報信号（試験ＯＫ信号）Ｅ２を中継器１に出力する試験回路部２４と、試験発報信号Ｅ２の出力時間を変化させることにより中継器１の移報先を選択する移報選択部２５とを設ける。中継器１に、火災感知器４の火災発報信号又は外部試験器からの試験発報信号Ｅ２を受信して火災信号Ｅ３を出力する受信回路１７と、火災信号Ｅ２の出力時間を判別して異なる移報先に移報信号を出力する移報出力回路とを備える。移報出力回路は、第１遅延タイマ１８、第２遅延タイマ１９、第1乃至第3移報リレー２０〜２２で構成される。    【選択図】      図２
2006048419.tif 000002
【特許請求の範囲】
【請求項１】
住戸毎に設置された中継器から住戸内に引出された感知器回線に火災感知器を接続し、前記火災感知器の火災検知による火災発報信号を前記中継器で受信して、少なくとも住戸用受信器及び住棟受信盤を含む複数の外部装置に移報信号を送出して作動させ、点検時に前記中継器に接続された外部試験器からの試験信号により前記火災感知器を遠隔試験する共同住宅用火災報知システムに於いて、
前記外部試験器に、
前記火災感知器を遠隔試験して正常と判断した場合に試験正常終了信号を前記中継器に出力する試験回路部と、
前記試験正常終了信号の出力時間を変化させることにより前記中継器の移報先を選択する移報選択部と、
を設け、
前記中継器に、
前記火災感知器の火災発報信号又は前記外部試験器からの試験正常終了信号を受信して火災信号を出力する発報受信回路と、
前記火災信号の出力時間を判別して異なる移報先に移報信号を出力する移報出力回路と、
を備えたことを特徴とする共同住宅用火災報知システム。
【請求項２】
住戸毎に設置された中継器から住戸内に引出された感知器回線に火災感知器を接続し、前記火災感知器の火災検知による火災発報信号を前記中継器で受信して、少なくとも住戸用受信器及び住棟受信盤を含む複数の外部装置に移報信号を送出して作動させ、点検時に前記中継器に接続された外部試験器からの試験信号により前記火災感知器を遠隔試験する共同住宅用火災報知システムに於いて、
前記外部試験器に、前記火災感知器を遠隔試験して正常と判断した場合に試験正常終了信号を前記中継器に出力する試験回路部を設け、
前記中継器に、
前記試験正常終了信号の出力時間を変化させることにより移報先を選択する移報選択部と、
前記火災感知器の火災発報信号又は前記外部試験器からの試験正常終了信号を受信して火災信号を出力する発報受信回路と、
前記火災信号の出力時間を判別して異なる移報先に移報信号を出力する移報出力回路と、
を備えたことを特徴とする共同住宅用火災報知システム。
【請求項３】
請求項１又は２記載の共同住宅用火災報知システムに於いて、前記移報出力回路は、第１移報先と第２移報先がある場合、前記火災信号の出力時間が所定時間未満の場合に前記第１移報先にのみ移報信号を送出し、前記火災信号の出力時間が前記所定時間以上の場合は、前記第１移報先と第２移報先に移報信号を送出することを特徴とする共同住宅用火災報知システム。
【請求項４】
請求項１又は２記載の共同住宅用火災報知システムに於いて、前記移報出力回路は、第１移報先、第２移報先及び第３移報先がある場合、前記火災信号の出力時間が第１所定時間未満の場合に前記第１移報先にのみ移報信号を送出し、前記火災信号の出力時間が前記第１所定時間以上で第２所定時間未満の場合は、前記第１移報先と第２移報先に移報信号を送出し、更に、前記火災信号の出力時間が前記第２所定時間以上の場合は、前記第１移報先、第２移報先及び第３移報先に移報信号を送出することを特徴とする共同住宅用火災報知システム。
【請求項５】
請求項１又は２記載の共同住宅用火災報知システムに於いて、前記移報出力回路は、移報先の数をｎとした場合、（ｎ−１）台の所定遅延時間を設定した遅延タイマを直列接続し、初段の遅延タイマの入力信号と各段の遅延タイマの出力信号によりｎ個の移報先に選択的に移報信号を送出させることを特徴とする共同住宅用火災報知システム。
【請求項６】
請求項３記載の共同住宅用火災報知システムに於いて、前記第１移報先は前記住棟受信盤であり、前記第２移報先は戸外用受信器であることを特徴とする共同住宅用火災報知システム。
【請求項７】
請求項４記載の共同住宅用火災報知システムに於いて、前記第１移報先は前記住棟受信盤であり、前記第２移報先は戸外表示器であり、更に前記第３移報先は住戸用受信器であることを特徴とする共同住宅用火災報知システム。
【請求項８】
請求項４記載の共同住宅用火災報知システムに於いて、前記第１移報先は前記住棟受信盤及びスプリンクラー制御盤であり、前記第２移報先は戸外表示器であり、更に前記第３移報先は住戸用受信器であることを特徴とする共同住宅用火災報知システム。
【発明の詳細な説明】
【技術分野】
【０００１】
本発明は、住戸毎に設置された中継器から住戸内に引出された感知器回線に火災感知器を接続し、火災感知器の火災検知による火災発報信号を中継器で受信して住戸用受信器や住棟受信盤に移報信号を送出して作動させる共同住宅用火災報知システムに関し、特に、点検時に中継器に接続された外部試験器からの試験信号により火災感知器を遠隔試験した際にも移報信号を送出して試験作動させる共同住宅用火災報知システムに関する。
【背景技術】
【０００２】
従来、集合住宅用火災報知システムにあっては、住戸毎に遠隔試験機能付きの中継器を設置し、中継器から住戸内に引出された感知器回線に火災感知器を接続しており、火災を検知して火災感知器が発報した場合には、火災感知器からの火災発報信号を中継器で受信して火災と判断し、移報信号を住戸内に設置された住戸用受信器、戸外表示器、管理人室等に設置した住棟受信盤などに送出して火災警報動作を行わせている。
【０００３】
このような集合住宅用火災報知システムで使用される遠隔試験機能付きの中継器は、住戸の外廊下に面した扉付きの機器収納部に設置されており、点検時には係員が中継器に専用の外部試験器をコネクタ接続して感知器回線を中継器から外部試験器に切替え、感知器回線に試験信号を送出して火災感知器を遠隔試験している。
【特許文献１】特開２０００−０２０８４３
【特許文献２】特開２０００−００３４８６
【特許文献３】特開２０００−２４２８７０
【特許文献４】特開２００３−２９６８３９
【特許文献５】特開平１０−１０５８５８
【発明の開示】
【発明が解決しようとする課題】
【０００４】
しかしながら、従来の集合住宅用火災報知システムにおいて外部試験器により火災感知器を点検する場合、火災感知器の試験発報に基づく移報信号の送出により住棟受信器のみならず、住戸内の住宅用受信器や戸外表示器にも警報出力や火災表示が行われ、試験住戸が不在であったり、あるいは在宅しているが点検者への応対が出来ない場合もあることから、点検時に突発的に住戸用受信器の警報を鳴らしたり戸外表示器に警報表示することは大きな問題である。
【０００５】
このため従来システムにあっては、図８に示すように、中継器回路１００ａを備えた中継器１００、中継器１００から引出された感知回線に接続された火災感知器１０７と終端抵抗１０８、更に住棟受信盤１０８で構成される火災報知システムにつき、点検時に中継器回路１００ａを備えた中継器１００に外部試験器１０１を接続した場合、切替リレー１０２、１０３を開くことにより住戸用受信器１０４や戸外表示器１０５に対する移報信号の送出を禁止する切替回路１０６を設けている。
【０００６】
また図９のように、中継器１００に外部試験器１０１を接続した場合、中継器１００から住戸用受信器１０４に点検中信号を出力し、点検中信号が得られている状態で火災感知器１０７の遠隔試験による火災移報信号を受信しても、住戸用受信器１０４の警報動作を点検中信号により禁止している。
【０００７】
しかしながら、図８の中継器に点検時にのみ住棟受信盤以外への移報を禁止する切替回路を設けた場合、その分、中継器の構成が複雑となる。また図９の点検中信号によって住戸用受信器の警報動作を禁止させる場合には、住戸用受信器として点検中信号による警報停止機能を備えた専用の受信器が必要となり、汎用の住戸用受信器が使用できない分、コストアップになる問題がある。
【０００８】
また、試験発報に対し住棟受信盤以外への移報を禁止するためには、外部試験器から移報先の住戸用受信器や戸外表示器に伝送制御により点検モード設定コマンドを送り、試験発報に伴う移報信号を受信しても警報動作しないように設定することも考えられる。しかし、外部試験器、中継器、住棟受信盤、住戸用受信器、戸外表示器にコマンド伝送機能を設けた専用システムを構築する必要があり、システムとしてコストアップになる問題がある。
【０００９】
更に、住戸毎にスプリンクラー消火設備を設けていた場合には、火災時の移報先にスプリンクラー制御盤が含まれ、点検時に同一タイミングでしか移報できなかったため、スプリンクラー設備だけの点検ができないという問題もある。
【００１０】
本発明は、中継器に複数の移報先が接続されていた場合、必要に応じて特定の移報先に対し選択的に火災感知器の試験動作に伴う移報信号を送出して作動可能とする集合住宅用火災報知システムを提供することを目的とする。
【課題を解決するための手段】
【００１１】
この目的を達成するため本発明は次のように構成する。
【００１２】
本発明は、住戸毎に設置された中継器から住戸内に引出された感知器回線に火災感知器を接続し、火災感知器の火災検知による火災発報信号を中継器で受信して、少なくとも住戸用受信器及び住棟受信盤を含む複数の外部装置に移報信号を送出して作動させ、点検時に中継器に接続された外部試験器からの試験信号により火災感知器を遠隔試験する集合住宅用火災報知システムを対象とする。
【００１３】
このような集合住宅用火災報知システムにつき、本発明は、外部試験器に、火災感知器の試験動作により正常と判断した場合に試験正常終了信号（試験ＯＫ信号）を中継器に出力する試験回路部と、試験正常終了信号の出力時間を変化させることにより中継器の移報先を選択する移報選択部とを設け、また中継器には、火災感知器の火災発報信号又は外部試験器からの試験正常終了信号（試験ＯＫ信号）を受信して火災信号を出力する発報受信回路と、火災信号の出力時間を判別して異なる移報先に移報信号を出力する移報出力回路とを備えたことを特徴とする。
【００１４】
本発明の別の形態にあっては、試験正常終了信号の出力時間を変化させることにより中継器の移報先を選択する移報選択部を、外部試験器ではなく中継器に設けるようにしても良い。
【００１５】
ここで、移報出力回路は、第１移報先と第２移報先がある場合、火災信号の出力時間が所定時間未満の場合に第１移報先にのみ移報信号を送出し、火災信号の出力時間が所定時間以上の場合は、第１移報先と第２移報先に移報信号を送出する。
【００１６】
また移報出力回路は、第１移報先、第２移報先及び第３移報先がある場合、火災信号の出力時間が第１所定時間未満の場合に第１移報先にのみ移報信号を送出し、火災信号の出力時間が第１所定時間以上で第２所定時間未満の場合は、第１移報先と第２移報先に移報信号を送出し、更に、火災信号の出力時間が第２所定時間以上の場合は、第１移報先、第２移報先及び第３移報先に移報信号を送出する。
【００１７】
移報出力回路は、移報先の数をｎとした場合、（ｎ−１）台の所定遅延時間を設定した遅延タイマを直列接続し、初段の遅延タイマの入力信号と各段の遅延タイマの出力信号によりｎ個の移報先に選択的に移報信号を送出させる。
【００１８】
第１移報先は住棟受信盤であり、第２移報先は戸外用受信器である。また第１移報先は前記住棟受信盤であり、第２移報先は戸外表示器であり、更に第３移報先は住戸用受信器である。更に、第１移報先は住棟受信盤とスプリンクラー制御盤であり、第２移報先は戸外表示器であり、更に第３移報先は住戸用受信器である。
【発明の効果】
【００１９】
本発明によれば、外部試験器による点検時の火災感知器の遠隔試験で得られる試験正常終了信号の出力時間を、中継器に接続している移報先に応じて変化させることで、試験正常終了信号に同期した火災信号の出力時間に応じて特定の移報先に対して移報信号を送出することができる。
【００２０】
例えば中継器において、住棟受信器への移報は０秒間の遅延後に行い、戸外表示器への移報は１秒間の遅延後に行い、更に住戸用受信器への移報は２秒間の遅延後に行うようにし、これに伴い外部試験機から出力する試験正常終了信号の出力時間を例えば０．５秒、１．５秒、２．５秒の３種類としておき、０．５秒の試験正常終了信号を選択すれば、住棟受信器のみの作動が可能であり、また１．５秒の試験正常終了信号を選択すれば、住棟受信器及び戸外表示器の作動が可能であり、更に２．５秒の試験正常終了信号を選択すれば、住棟受信器、戸外表示器及び住戸用受信器の作動が可能であり、点検時の試験正常終了信号の長さを変化させることにより、様々組合せで移報先を試験作動させることができる。
【００２１】
更に、スプリンクラー制御盤への移報を０秒間の遅延後に行うようにしておけば、０．５秒の試験正常終了信号を選択することでスプリンクラー設備を単独で試験作動させることもできる。
【発明を実施するための最良の形態】
【００２２】
図１は本発明が適用される集合住宅用火災報知システムの説明図である。図１において、集合住宅の住戸２に対しては中継器１が設置されている。中継器１は廊下に面した扉付きの機器収納部に設置されており、点検の際に外部から取り扱うことができる。中継器１からは住戸２内に感知器回線３が引き出されており、感知器回線３には遠隔試験機能を備えた火災感知器４を接続している。
【００２３】
また中継器１に対しては、住戸２内に設置される住戸用受信器５が接続される。住戸用受信器５は、中継器１による火災検出に基づく火災移報信号を受けて警報動作を行う。また中継器１には戸外表示器６が接続されており、中継器１において火災を検出した際に、火災移報信号を出力して警報表示動作を行わせる。なお、この実施形態にあっては、住戸用受信器５及び戸外表示器６のそれぞれにスピーカ５ａ、６ａが設けられており、火災の警報表示に加えて音声警報が出せるようにしている。住戸２ごとに設けられた中継器１は、電源線及び信号線を含む伝送路１０により、管理人室などに設置された住棟受信盤８に接続されている。
【００２４】
住戸２で火災が発生した場合の動作は次のようになる。住戸２で火災が発生し、火災感知器４が火災を検出して発報すると、感知器回線３を介して中継器１に発報信号が供給され、中継器１に設けている受信回路で火災受信が行われ、火災信号が出力されると、この火災信号に基づき住棟受信盤８、住戸用受信器５及び戸外表示器６に対し、火災移報信号の送出が行われ、必要な火災警報動作が行われることになる。
【００２５】
一方、本発明の集合住宅用火災報知システムにあっては、住戸設備を定期的に点検している。この点検は、中継器１に対しコネクタ１３により外部試験器１２を接続して行う。中継器１に外部試験器１２を接続すると、内部のリレー作動により住戸２に対する感知器回線３が外部試験器１２側に切り替わり、外部試験器１２から感知器回線３を経由して火災感知器４に対し遠隔試験を行うことができる。
【００２６】
外部試験器１２による火災感知器４の遠隔試験で正常な試験結果が得られた場合、外部試験器１２は中継器１に対し試験正常終了信号（以下「試験ＯＫ信号」という）を出力する。この外部試験器１２から出力される試験ＯＫ信号により、中継器１内の受信回路は火災発報時と同様に火災信号を出力し、住戸用受信器５、戸外表示器６及び住棟受信盤８に対し火災移報信号の送出が行われる。
【００２７】
このような外部試験器１２による試験時の火災移報信号の出力につき、本発明にあっては、火災試験器１２における移報先となる端末の選択操作に基づき、次のいずれかの組合せとなる移報先に遠隔試験に伴う火災移報信号の出力を行わせる。
（１）住棟受信盤８
（２）住棟受信盤８及び戸外表示器６
（３）住棟受信盤８、戸外表示器６及び住戸用受信器５
【００２８】
図２は本発明における中継器及び外部試験器の実施形態を示した回路ブロック図である。図２において、中継器１には、コネクタ１３の接続端子Ｌ、Ｃ、Ｓ、ＳＣ、ＯＫが設けられ、ここにコネクタ１３によって外部試験器１２を接続することで、火災感知器４の遠隔試験を行うことができる。
【００２９】
中継器１には受信回路１７が設けられ、受信回路１７からは感知器回線３が引き出され、火災感知器４及び終端抵抗１４を接続している。中継器１の外部試験器１２を接続するコネクタ１３に対する端子Ｓ、ＳＣ間には切替リレー１５が接続されており、切替リレー１５の切替リレー接点１６が、受信回路１７から引き出された感知器回線３のＬ側と外部試験器１２のコネクタ１３におけるＬ側に設けられている。
【００３０】
即ち切替リレー接点１６は、切替端子ａを受信回路１７に接続し、切替端子ｂをコネクタ１３のＬ端子を介して外部試験器１２に接続しており、切替リレー接点１６により受信回路１７と外部試験器１２のいずれか一方を感知器回線３に接続するようにしている。
【００３１】
外部試験器１２を接続しない通常時にあっては、中継器１の切替リレー１５は非作動状態にあり、切替リレー接点１６は図示のようにａ側に閉じ、受信回路１７を感知器回線３に接続している。一方、点検時に外部試験器１２を接続すると、切替リレー１５が外部試験器１２からの電源供給を受けて作動し、切替リレー接点１６をｂ側に切り替え、感知器回線３を外部試験器１２側に接続する。
【００３２】
受信回路１７は、通常監視時にあっては、火災感知器４で火災検知が行われて、感知器回線Ｌ、Ｃ間に設けたスイッチング素子がオンして火災発報が行われると、このとき流れる発報電流を受信し、火災信号Ｅ３を出力する。
【００３３】
また外部試験器１２を接続した点検時にあっては、火災感知器４の遠隔試験により正常試験が判断された場合、試験正常終了信号である試験ＯＫ信号Ｅ２をコネクタ１３のＯＫ端子より受信回路１７に出力し、この試験ＯＫ信号Ｅ２を受けて受信回路１７は火災信号Ｅ３を出力する。
【００３４】
受信回路１７の出力には第１遅延タイマ１８と第２遅延タイマ１９を直列接続している。第１遅延タイマ１８及び第２遅延タイマ１９は例えば遅延時間１秒を設定したタイマであり、タイマ入力信号が設定時間１秒を超えて継続的に入力されると、１秒後にタイマ出力を生ずる。
【００３５】
即ち、受信回路１７からの火災信号Ｅ３が継続的に出力されていると、火災信号Ｅ３の出力から１秒後に第１遅延タイマ１８がタイマ出力を生じ、更にその１秒後に第２遅延タイマ１９がタイマ出力を生ずることになる。
【００３６】
このことは受信回路１７からの火災信号Ｅ３が第１遅延タイマ１８の設定時間１秒未満であった場合、第１遅延タイマ１８はタイマ出力を生じないことになる。同様に第２遅延タイマ１９についても、第１遅延タイマ１８の出力が１秒未満であった場合にはタイマ出力を生じないことになる。
【００３７】
受信回路１７及び第１遅延タイマ１８及び第２遅延タイマ１９に対しては、第１移報リレー２０、第２移報リレー２１及び第３移報リレー２２を設けている。第１移報リレー２０は受信回路１７からの火災信号Ｅ３により作動し、リレー接点２０ａを閉じて移報信号を出力する。第２移報リレー２１は第１遅延タイマ１８のタイマ出力で作動し、リレー接点２１ａを閉じて移報信号を出力する。更に第３移報リレー２２は第２遅延タイマ１９のタイマ出力で作動し、リレー接点２２ａを閉じて移報信号を出力する。
【００３８】
第１移報リレー２０のリレー接点２０ａに対しては、この実施形態にあっては住棟受信盤８が移報先として接続されている。また第２移報リレー２１のリレー接点２１ａには戸外表示器６が移報先として接続される。更に第３移報リレー２２のリレー接点２２ａには、移報先として住戸用受信器５が接続されている。
【００３９】
一方、外部試験器１２には試験回路部２４と移報選択部２５が設けられている。試験回路部２４は中継器１に対し外部試験器１２をコネクタ１３で接続した状態で、切替リレー１５の切替リレー接点１６のｂ側への切替えにより接続された感知器回線３に対し遠隔試験信号を出力して火災感知器４の遠隔試験動作を行わせ、試験結果が正常であれば試験ＯＫ信号Ｅ２を出力する。
【００４０】
この試験回路部２４の指示に基づく試験ＯＫ信号Ｅ２につき、移報選択部２５は試験ＯＫ信号の出力時間を変化させることにより、中継器１の移報先を選択できるようにしている。この実施形態において、受信回路１７からの火災信号Ｅ３の出力に対する移報リレーの動作は次のようになる。
（１）第１移報リレー２０は火災信号Ｅ３の出力タイミングと同時に動作、
（２）第２移報リレー２１は火災信号Ｅ３の出力から１秒後に動作、
（３）第３移報リレー２２は火災信号Ｅ３の出力から２秒後に動作、
となる。
【００４１】
このような第１移報リレー２０、第２移報リレー２１及び第３移報リレー２２の第１遅延タイマ１８及び第２遅延タイマ１９による遅延動作に対応し、外部試験器１２の移報選択部２５は、移報先を選択するため次のような出力時間の試験ＯＫ信号Ｅ２を中継器１に出力する。
（ａ）第１移報リレー２０のみを作動させる０．５秒の試験ＯＫ信号
（ｂ）第１移報リレー２０及び第２移報リレー２１を作動させるための１．５秒の試験ＯＫ信号
（ｃ）第１移報リレー２０、第２移報リレー２１及び第３移報リレー２２を作動させるための２．５秒の試験ＯＫ信号
もちろん、移報出力先を選択するための試験ＯＫ信号Ｅ２の時間長としては（ａ）〜（ｃ）における０．５秒、１．５秒、２．５秒に限定されず、（ａ）については１秒未満、（ｂ）については１秒以上２秒未満、（ｃ）については２秒以上となる時間長を設定すればよい。
【００４２】
次に図２の実施形態において、外部試験器１２を中継器１に接続した点検時に移報先を選択して火災感知器４の遠隔試験を行う場合の動作を説明する。
【００４３】
図３は移報先として住棟受信盤８のみを作動させるように遠隔試験を行う場合のタイムチャートである。点検時の遠隔試験で住棟受信盤８のみを火災移報信号により作動させたい場合には、外部試験器１２の移報選択部２５において、スイッチ操作などにより０．５秒の出力時間を持つ試験ＯＫ信号Ｅ２を出力するように移報先の選択操作を行う。
【００４４】
このような移報選択部２５による移報先の選択状態で、図３（Ａ）のように中継器１に接続した外部試験器１２の試験回路２４より試験信号Ｅ１を火災感知器４に出力し、火災感知器４の遠隔試験により試験結果として正常と判断されると、時刻ｔ０で外部試験器１２は、中継器１に対し移報選択部２５で選択した０．５秒の試験ＯＫ信号Ｅ２を出力する。
【００４５】
試験ＯＫ信号は中継器１の受信回路１７に入力され、これに同期して受信回路１７は、同じく０．５秒の火災信号Ｅ３を出力する。火災信号Ｅ３が出力されると、出力タイミングと同時に第１移報リレー２０が作動し、リレー接点２０ａを閉じることで住棟受信盤８に対し火災移報信号を送出し、外部試験器１２による火災感知器４の遠隔試験で正常結果が得られたことを住棟受信盤８に表示させる。
【００４６】
受信回路１７からの火災信号Ｅ３は同時に第１遅延タイマ１８に入力されるが、火災信号Ｅ３は０．５秒継続するだけであり、第１遅延タイマ１８に設定している設定時間１秒に達しないことから、第１遅延タイマ１８はタイマ出力を生じない。このため、第２移報リレー２１、更に第３移報リレー２２は作動することがなく、第１移報リレー２１の作動のみによって住棟受信盤８に対してのみ火災移報信号を送出することができる。
【００４７】
図４は火災感知器の遠隔試験に伴い、住棟受信盤８と戸外表示器６を移報先として作動させる場合のタイムチャートである。図４の場合には、図２の外部試験器１２の移報選択部２５において１．５秒の試験ＯＫ信号Ｅ２を出力するように端末選択状態を設定する。この状態で試験回路部２４からの試験信号Ｅ１により火災感知器４の遠隔試験が行われ、試験結果から正常と判断すると、時刻ｔ０より１．５秒の時間長を持つ試験ＯＫ信号Ｅ２を中継器１に出力する。
【００４８】
中継器１の受信回路１７は試験ＯＫ信号Ｅ２に同期して、同じく１．５秒の時間長を持つ火災信号Ｅ３を出力する。このため、受信回路１７からの火災信号Ｅ３の出力タイミングで最初の第１移報リレー２０が作動してリレー接点２０ａを閉じ、住棟受信盤８に火災移報信号を送出して試験正常の表示動作を行わせる。時刻ｔ０から１秒後の時刻ｔ１に達すると、第１遅延タイマ１８がタイマ出力を生じ、第２移報リレー２１を作動し、リレー接点２１ａを閉じることで、戸外表示器６に火災移報信号を出力して警報表示動作を行わせる。
【００４９】
図５は図２の外部試験器１２の移報選択部２５において、移報先として住棟受信盤８、戸外表示器６及び住戸用受信器５を移報先として選択するために、２．５秒の時間長を持つ試験ＯＫ信号の出力を選択した場合のタイムチャートである。
【００５０】
図５にあっては、外部試験器１２からの試験信号により火災感知器４の遠隔試験が行われ、時刻ｔ０で試験結果が正常と判断して、時間長２．５秒の試験ＯＫ信号Ｅ２を中継器１に出力する。この試験ＯＫ信号Ｅ２を受けて、受信回路１７は火災信号Ｅ３を同じく２．５秒間出力する。
【００５１】
このため火災信号Ｅ３の出力に伴い、最初に第１移報リレー２０が作動してリレー接点２０ａを閉じ、住棟受信盤８に火災移報信号を出力して作動させる。続いて１秒後の時刻ｔ１で第１遅延タイマ１８がタイマ出力を生じ、第２移報リレー２1を作動してリレー接点２１ａを閉じ、戸外表示器６に火災移報信号を出力して作動させる。
【００５２】
更に時刻ｔ０から２秒経過した後の時刻ｔ２で第２遅延タイマ１９がタイマ出力を生じ、第３移報リレー２２を作動してリレー接点２２ａを閉じ、住戸用受信器５に火災移報信号を出力して作動させる。
【００５３】
図６は図２において火災感知器が火災を検知して発報した場合のタイムチャートである。通常監視状態にあっては、外部試験器１２は接続されていないことから、感知器回線３は切替リレー接点１６のａ側を介して受信回路１７に接続されている。火災感知器４の火災検知による発報動作で発報電流が流れると、受信回路１７が火災信号Ｅ３を継続的に出力する。
【００５４】
このため、火災信号Ｅ３の出力と同時に第１移報リレー２０が作動してリレー接点２０ａを閉じ、まず住棟受信盤８に火災移報信号を出力して警報動作を行わせる。続いて火災信号Ｅ３が出力した時刻ｔ０から１秒後の時刻ｔ１で第１遅延タイマ１８がタイマ出力を生じ、第２移報リレー２１を作動してリレー接点２１ａを閉じ、戸外表示器６に火災移報信号を出力して警報表示動作を行わせる。
【００５５】
更に火災信号Ｅ３の出力から２秒経過した時刻ｔ２で第２遅延タイマ１９がタイマ出力を生じ、第３移報リレー２２を作動してリレー接点２２ａを閉じ、住戸用受信器５に火災移報信号を出力して火災警報動作を行わせる。
【００５６】
図７は本発明における中継器及び外部試験器の他の実施形態を示した回路ブロック図であり、この実施形態にあっては、図２の実施形態では外部試験器１２に設けていた移報選択部２５を中継器１側に設けるようにしたことを特徴とする。また、この実施形態にあっては、移報先としてスプリンクラー制御盤７を追加している。
【００５７】
スプリンクラー制御盤７は住戸用火災受信器５による火災報知設備とは別に設けられたスプリンクラー消火設備の制御盤であり、中継器１からの火災移報信号を、住戸２内に設置している開放型スプリンクラーヘッドに対する消火配管に設けた制御弁の開閉条件としている。
【００５８】
即ちスプリンクラー消火設備にあっては、住戸２内に設置された閉鎖型スプリンクラーヘッドに対する消火配管に制御弁を設け、この制御弁を定常監視状態にあっては常時開とし、スプリンクラーヘッドまで加圧消火用水を充填している。
【００５９】
火災によりスプリンクラーヘッドが作動して放水が行われると、スプリンクラー制御盤７は流水の検知信号と火災移報信号の両方が得られていれば制御弁の開状態を維持するが、火災移報信号が得られない場合には制御弁を閉制御し、スプリンクラーヘッドの誤作動として放水を停止させる。
【００６０】
図７において、中継器１の構成は基本的に図２の実施形態と同じであり、受信回路１７の出力に新たに移報選択部２５を設けている。移報選択部２５は、外部試験器１２による火災感知器４の遠隔試験で試験結果が正常終了した際の試験ＯＫ信号Ｅ２を受けて、移報先を選択的に作動させることができる。
【００６１】
即ち移報選択部２５は、移報先の選択操作に応じ、０．５秒、１．５秒または２．５秒のいずれかの出力時間を持つ火災信号Ｅ３０を出力する。このように中継器１に移報選択部２５を設けたことで、外部試験器１２は試験回路部２４を備えるだけでよく、試験回路部２４による火災感知器４の遠隔試験で試験結果が正常と判断された際には、中継器１に対し試験ＯＫ信号Ｅ２を継続的に出力するようにしている。なお試験ＯＫ信号は、外部試験器１２におけるリセット操作などにより出力を停止する。
【００６２】
受信回路１７は外部試験器１２から試験ＯＫ信号Ｅ２を受けると、そのまま火災信号Ｅ３として移報選択部２５に出力する。移報選択部２５は、そのとき選択されている移報先に応じ、０．５秒、１．５秒または２．５秒の出力時間を持つ火災信号Ｅ３０を出力する。
【００６３】
移報選択部２５が０．５秒の火災信号Ｅ３０を出力した場合には、第１移報リレー２０のみが作動してリレー接点２０ａを閉じ、この実施形態にあっては移報先として住棟受信盤８及びスプリンクラー制御盤７を接続していることから、両者に対し火災移報信号が送出されて作動することになる。
【００６４】
また移報選択部２５が１．５秒の火災信号Ｅ３０を出力した場合には、信号出力と同時に第１移報リレー２０が作動し、１秒後の第１遅延タイマ１８の出力で第２移報リレー２１が作動し、リレー接点２０ａ、２１ａが順次閉じることで、住棟受信盤８及びスプリンクラー制御盤７の作動に続いて戸外表示器６が作動される。
【００６５】
更に移報選択部２５が２．５秒の火災信号Ｅ３０を出力した場合には、信号出力と同時に、第１移報リレー２０によるリレー接点２０ａの作動で住棟受信盤８、スプリンクラー制御盤７が作動し、１秒後の第１遅延タイマ１８のタイマ出力で第２移報リレー２１が作動してリレー接点２１ａを閉じ、戸外表示器６を作動させ、更に信号出力から２秒後に第２遅延タイマ１９がタイマ出力を生じ、第３移報リレー２２を作動してリレー接点２２ａを閉じ、住戸用受信器５を作動させることになる。
【００６６】
この図７の実施形態にあっては、外部試験器１２を中継器１に接続してスプリンクラー消火設備のみの点検作動が可能である。この場合には移報選択部２５で０．５秒の時間長を選択しておけば、火災感知器４の遠隔試験に伴う試験ＯＫ信号Ｅ２による受信回路１７の火災信号Ｅ２の出力で移報選択回路２５は０．５秒の火災信号Ｅ３０を出力し、第１移報リレー２０のみを作動してスプリンクラー制御盤７及び住棟受信盤８のみを作動させる。
【００６７】
この場合、住棟受信盤８も作動させているが、火災報知設備である戸外表示器６や住戸用受信器５は作動させないことから、実質的にはスプリンクラー消火設備のみの火災移報信号による作動ということができる。
【００６８】
なお上記の実施形態にあっては、中継器１による移報先として住棟受信盤８、戸外表示器６、住戸用受信器５、更にスプリンクラー制御盤７を例にとるものであったが、移報先としてはこれに限定されず、適宜の機器を移報先として接続することができる。
【００６９】
また上記の実施形態にあっては、２台の遅延タイマ、即ち第１遅延タイマ１８と第２遅延タイマ１９を直列接続することで移報信号の送出に３段階の時差を設けて送出することにより移報先を選択するようにしているが、遅延タイマを第１遅延タイマ１８のみとした場合には２段階の時間遅延による移報出力とでき、更に必要に応じて遅延タイマの数を３台、４台と増やすことで、遅延時間差の段数を段階的に増加させて火災移報信号の選択条件を拡大することができる。
【００７０】
また上記の実施形態にあっては、直列接続した複数の遅延タイマの順次動作で段階的に時間遅延して火災移報信号を出力し、時間経過に伴い作動させる移報先の数を段階的に増加させるようにしているが、遅延タイマのタイマ出力が得られた際に前段の移報リレーを復旧させることで、複数段階に亘る移報出力につき各段階で対応した独立の移報先に火災移報信号を出力できるようにしてもよい。
【００７１】
更に上記の実施形態にあっては、外部試験器１２による火災感知器４の遠隔試験で試験結果を外部試験器１２で判断して試験ＯＫ信号を出力し、この試験ＯＫ信号に基づいて選択された出力時間の火災信号を生成して移報先を選択するようにしているが、外部試験器１２により火災感知器４を遠隔的に試験発報させるような試験方式の場合には、火災感知器４の試験発報による発報信号に基づく受信回路１７の出力に対し、例えば図７の移報選択部２５のように、０．５秒、１．５秒、２．５秒といった出力時間を設定して火災信号Ｅ３０を選択的に出力させ、これによって移報先を選択するようにしてもよい。
【００７２】
更に図２及び図７の実施形態に示した外部試験器１２の試験回路部２４による火災感知器４の遠隔試験の具体的内容としては、試験回路部２４から火災感知器４に試験コマンドを送信し、この試験コマンドに基づく火災感知器４の試験動作が行われ、試験結果を応答するコマンド制御方式を用いるが、これ以外の適宜の遠隔試験方式についても同様に適用できる。
【図面の簡単な説明】
【００７３】
【図１】本発明が適用される集合住宅用火災報知システムの説明図
【図２】本発明における中継器及び外部試験器の実施形態を示した回路ブロック図
【図３】図２で０．５秒の試験発報信号を選択した場合の試験処理動作のタイムチャート
【図４】図２で１．５秒の試験発報信号を選択した場合の試験処理動作のタイムチャート
【図５】図２で２．５秒の試験発報信号を選択した場合の試験処理動作のタイムチャート
【図６】図２で火災感知器が火災発報した場合の処理動作のタイムチャート
【図７】本発明における中継器及び外部試験器の他の実施形態を示した回路ブロック図
【図８】試験発報で移報出力しないように切替える従来システムの説明図
【図９】試験中信号により移報動作を禁止する従来システムの説明図
【符号の説明】
【００７４】
１：中継器
２：住戸
３：感知器回線
４：火災感知器
５：住戸用受信器
６：戸外表示器
７：スプリンクラー制御盤
８：住棟受信盤
９：共用部スピーカ
１０：伝送路
１２：外部試験器
１３：コネクタ
１４：終端抵抗
１５：切替リレー
１６：切替リレー接点
１７：受信回路
１８：第1遅延タイマ
１９：第2遅延タイマ
２０：第1移報リレー
２０ａ、２１ａ、２２ａ：リレー接点
２１：第2移報リレー
２２：第3移報リレー
２４：試験回路部
２５：移報選択部
【図１】
2006048419.tif 000003
【図２】
2006048419.tif 000004
【図３】
2006048419.tif 000005
【図４】
2006048419.tif 000006
【図５】
2006048419.tif 000007
【図６】
2006048419.tif 000008
【図７】
2006048419.tif 000009
【図８】
2006048419.tif 000010
【図９】
2006048419.tif 000011